(57)【要約】【課題】視聴者に違和感を感知させない程度に映像信号の表示と音声信号の出力との同期を図りながら、入力された音声信号に従って電源からの電力使用効率を上げて消費電力の増大を抑制する。【解決手段】増幅装置は、映像信号に映像処理を行う映像処理部と、映像処理された映像信号を出力する映像出力部と、音声信号に音声処理を行う音声処理部と、音声処理された音声信号を増幅して出力する音声出力部と、出力部に電源電圧を供給する電圧可変電源と、電圧可変電源から供給される電源電圧を音声信号に応じて変更する電源処理を行う電源処理部と、電源処理部の動作を制御する制御部と、を備える。制御部は、映像信号が出力されるタイミングと音声信号が出力されるタイミングとの差である第１の時間差が第１の閾値以上の場合、第１の時間差が第１の閾値未満となるように音声信号に生じる遅延が第１の電源処理より短い第２の電源処理を電源処理部に行わせる。【選択図】図６
2020005231.tif 000002
【特許請求の範囲】
【請求項１】
映像を示す映像信号と前記映像に対応する音声を示す音声信号とを入力する入力部と、
前記映像信号に映像処理を行う映像処理部と、
前記映像処理された映像信号を出力する映像出力部と、
前記音声信号に音声処理を行う音声処理部と、
前記音声処理された音声信号を増幅して出力する音声出力部と、
前記音声出力部に電源電圧を供給する電圧可変電源と、
前記電圧可変電源から供給される電源電圧を前記音声信号に応じて変更する電源処理を行う電源処理部と、
前記電源処理部の動作を制御する制御部と、を備え、
前記制御部は、
前記映像信号が出力されるタイミングと前記音声信号が出力されるタイミングとの差である第１の時間差が第１の閾値以上の場合、前記第１の時間差が前記第１の閾値未満となるように第１の電源処理より前記音声信号に生じる遅延が短い第２の電源処理を前記電源処理部に行わせる、
増幅装置。
【請求項２】
前記制御部は、
前記第１の時間差が前記第１の閾値より大きい第２の閾値以上の場合、前記電源処理部に前記電源処理を行わせない、
請求項１に記載の増幅装置。
【請求項３】
前記映像信号を遅延させる映像遅延部をさらに備え、
前記制御部は、
前記第１の時間差が前記第１の閾値より大きい第２の閾値以上の場合、前記第１の時間差が前記第２の閾値未満となるように前記映像遅延部に前記映像信号を遅延させる、
請求項１に記載の増幅装置。
【請求項４】
前記第１の時間差は、
前記映像処理により前記映像信号に生じる遅延時間である第１の遅延時間と前記音声処理により前記音声信号に生じる遅延時間である第２の遅延時間との差から算出される、
請求項１〜３のうちいずれか一項に記載の増幅装置。
【請求項５】
前記第２の電源処理は、
前記第１の電源処理よりも前記電圧可変電源から供給される電源電圧の下限値が大きい、
請求項１〜４のうちいずれか一項に記載の増幅装置。
【請求項６】
前記第２の電源処理は、
前記第１の電源処理よりも前記電圧可変電源から供給される電源電圧のスルーレートが大きい、
請求項１〜４のうちいずれか一項に記載の増幅装置。
【請求項７】
再生装置と表示装置とスピーカとバッテリとに接続される増幅装置を含む車載システムであって、
前記増幅装置は、
映像を示す映像信号と前記映像に対応する音声を示す音声信号とを前記再生装置から入力する入力部と、
前記映像信号に映像処理を行う映像処理部と、
前記映像処理された映像信号を前記表示装置に出力する映像出力部と、
前記音声信号に音声処理を行う音声処理部と、
前記音声処理された音声信号を増幅して前記スピーカに出力する音声出力部と、
前記バッテリから供給される電力に基づいて、前記音声出力部に電源電圧を供給する電圧可変電源と、
前記電圧可変電源から供給される電源電圧を前記音声信号に応じて変更する電源処理を行う電源処理部と、
前記電源処理部の動作を制御する制御部と、を備え、
前記制御部は、
前記映像信号が出力されるタイミングと前記音声信号が出力されるタイミングとの差である第１の時間差が第１の閾値以上の場合、前記第１の時間差が前記第１の閾値未満となるように第１の電源処理より前記音声信号に生じる遅延が短い第２の電源処理を前記電源処理部に行わせる、
車載システム。
【請求項８】
映像を示す映像信号と前記映像に対応する音声を示す音声信号とを入力する入力ステップと、
前記映像信号に映像処理を行う映像処理ステップと、
前記映像処理された前記映像信号を出力する映像出力ステップと、
前記音声信号に音声処理を行う音声処理ステップと、
前記音声処理された音声信号を増幅して出力する音声出力ステップと、
前記音声信号を増幅させるための電源電圧を供給する供給ステップと、
前記電源電圧を前記音声信号に応じて変更する電源処理を行う電源処理ステップと、を含み、
前記電源処理ステップは、
前記映像信号が出力されるタイミングと前記音声信号が出力されるタイミングとの差である第１の時間差が第１の閾値以上の場合、前記第１の時間差が前記第１の閾値未満となるように第１の電源処理より前記音声信号に生じる遅延が短い第２の電源処理を行う、
増幅方法。
【発明の詳細な説明】
【技術分野】
【０００１】
本開示は、車両等において入力された信号の電力を増幅する増幅装置、増幅方法および車載システムに関する。
【背景技術】
【０００２】
従来、増幅装置に入力される信号に追従して電力増幅段に供給される電源電圧を増減し、電源からの電力効率の改善を図るために、電圧可変電源を増幅装置の電源として用いる技術が知られている（例えば、特許文献１参照）。特許文献１では、外部機器からの入力音声信号から入力音声信号の包絡線を作成し、電圧可変電源を制御するための電源電圧制御信号を包絡線に沿った波形となるように作成する増幅装置が開示されている。この増幅装置は、作成された電源電圧制御信号を、入力音声信号がアンプ部で増幅される一定時間前に電圧可変電源に出力することで、電圧可変電源のスルーレートの変化によらずに電力効率の低下を抑制可能である。
【先行技術文献】
【特許文献】
【０００３】
【特許文献１】特許第５６３５５０７号公報
【発明の概要】
【発明が解決しようとする課題】
【０００４】
しかしながら、特許文献１では音声信号が入力信号として想定されており、映像信号の入力は考慮されていない。このため、例えば映像コンテンツのように、映像信号と音声信号とが入力される場合に特許文献１の構成を適用した場合、次のような課題があった。具体的には、映像信号と音声信号とが入力される場合、映像の表示と音声の出力とは同期する必要がある。また、特許文献１の構成により、音声信号に基づく電圧可変電源の制御によって音声信号の出力されるタイミングが遅延するが、そのような遅延が生じても視聴者が違和感を感知しない程度に、映像の表示と音声の出力との間の遅延量を許容範囲内に抑える必要がある。このため、入力された音声信号に応じて電圧可変電源を効率的に制御することが困難であるという課題があった。
【０００５】
本開示は、上述した従来の事情に鑑みて案出され、視聴者に違和感を感知させない程度に映像信号の表示と音声信号の出力との同期を図りながら、入力された音声信号に従って電源からの電力使用効率を上げて消費電力の増大を抑制する増幅装置、増幅方法および車載システムを提供することを目的とする。
【課題を解決するための手段】
【０００６】
本開示は、映像を示す映像信号と前記映像に対応する音声を示す音声信号とを入力する入力部と、前記映像信号に映像処理を行う映像処理部と、前記映像処理された映像信号を出力する映像出力部と、前記音声信号に音声処理を行う音声処理部と、前記音声処理された音声信号を増幅して出力する音声出力部と、前記音声出力部に電源電圧を供給する電圧可変電源と、前記電圧可変電源から供給される電源電圧を前記音声信号に応じて変更する電源処理を行う電源処理部と、前記電源処理部の動作を制御する制御部と、を備え、前記制御部は、前記映像信号が出力されるタイミングと前記音声信号が出力されるタイミングとの差である第１の時間差が第１の閾値以上の場合、前記第１の時間差が前記第１の閾値未満となるように第１の電源処理より前記音声信号に生じる遅延が短い第２の電源処理を前記電源処理部に行わせる、増幅装置を提供する。
【０００７】
また、本開示は、再生装置と表示装置とスピーカとバッテリとに接続される増幅装置を含む車載システムであって、前記増幅装置は、映像を示す映像信号と前記映像に対応する音声を示す音声信号とを前記再生装置から入力する入力部と、前記映像信号に映像処理を行う映像処理部と、前記映像処理された映像信号を前記表示装置に出力する映像出力部と、前記音声信号に音声処理を行う音声処理部と、前記音声処理された音声信号を増幅して前記スピーカに出力する音声出力部と、前記バッテリから供給される電力に基づいて、前記音声出力部に電源電圧を供給する電圧可変電源と、前記電圧可変電源から供給される電源電圧を前記音声信号に応じて変更する電源処理を行う電源処理部と、前記電源処理部の動作を制御する制御部と、を備え、前記制御部は、前記映像信号が出力されるタイミングと前記音声信号が出力されるタイミングとの差である第１の時間差が第１の閾値以上の場合、前記第１の時間差が前記第１の閾値未満となるように前記第１の電源処理より前記音声信号に生じる遅延が短い第２の電源処理を前記電源処理部に行わせる、車載システムを提供する。
【０００８】
また、本開示は、映像を示す映像信号と前記映像に対応する音声を示す音声信号とを入力する入力ステップと、前記映像信号に映像処理を行う映像処理ステップと、前記映像処理された前記映像信号を出力する映像出力ステップと、前記音声信号に音声処理を行う音声処理ステップと、前記音声処理された音声信号を増幅して出力する音声出力ステップと、前記音声信号を増幅させるための電源電圧を供給する供給ステップと、前記電源電圧を前記音声信号に応じて変更する電源処理を行う電源処理ステップと、を含み、前記電源処理ステップは、前記映像信号が出力されるタイミングと前記音声信号が出力されるタイミングとの差である第１の時間差が第１の閾値以上の場合、前記第１の時間差が前記第１の閾値未満となるように前記第１の電源処理より前記音声信号に生じる遅延が短い第２の電源処理を行う、増幅方法を提供する。
【発明の効果】
【０００９】
本開示によれば、視聴者に違和感を感知させない程度に映像信号の表示と音声信号の出力との同期を図りながら、入力された音声信号に従って電源からの電力使用効率を上げて消費電力の増大を抑制できる。
【図面の簡単な説明】
【００１０】
【図１】実施の形態１に係る増幅装置の構成例を示すブロック図
【図２】映像信号、遅延発生前の音声信号、遅延発生後の音声信号の一例を示す図
【図３】第１の電源処理と第２の電源処理の第１例とを説明するための動作説明図
【図４】第１の電源処理と第２の電源処理の第２例とを説明するための動作説明図
【図５Ａ】第１の時間差と第１の電源処理との関係を示す説明図
【図５Ｂ】第１の時間差と第２の電源処理との関係を示す説明図
【図６】実施の形態１に係る増幅装置の音声信号に応じた電源処理に係る動作手順を示すフローチャート
【図７】実施の形態２に係る増幅装置の電源処理判別処理に係る動作手順を示すフローチャート
【図８】実施の形態３に係る増幅装置の電源処理判別処理に係る動作手順を示すフローチャート
【図９】実施の形態３において電源処理を省略する場合の第１の時間差の説明図
【発明を実施するための形態】
【００１１】
以下、適宜図面を参照しながら、本開示に係る増幅装置、増幅方法および車載システムを具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１２】
以下の説明に係る「部」または「装置」は、単にハードウェアによって実現される物理的構成に限定されず、その構成が有する機能をプログラム等のソフトウェアにより実現されるものも含む。また、１つの構成が有する機能が２つ以上の物理的構成により実現されてもよいし、２つ以上の構成の機能が１つの物理的構成によって実現されていてもよい。
【００１３】
（実施の形態１）
図１は、実施の形態１に係る増幅装置２の構成例を示すブロック図である。増幅装置２は、再生装置１、表示装置３、バッテリ４およびスピーカ５のそれぞれに接続される。再生装置１、増幅装置２、表示装置３、バッテリ４およびスピーカ５は、例えば車両ＣＲ１に搭載される車載機であり、車載システムを構成する。
【００１４】
再生装置１は、テレビジョンデータ、またはＢＤ（Blu-ray(登録商標）Disk）もしくはＤＶＤ（Digital Versatile Disk）等の記録媒体に記録された映像コンテンツデータのように、映像信号と対応する音声信号とが記録された映像音声データ信号を増幅装置２に送る。つまり、再生装置１から出力される、映像信号と対応する音声信号とが記録された映像音声データ信号が、増幅装置２に入力される。
【００１５】
増幅装置２は、入力部１１と、映像処理部１２と、音声処理部１３と、映像遅延処理部１４と、映像出力部１５と、制御部１６と、電源処理部１７と、電圧可変電源１８と、音声出力部１９と、メモリ２０とを含む構成である。電源処理部１７は、電源電圧制御信号生成部１７１と、音声遅延処理部１７２とを有する。
【００１６】
増幅装置２は、映像を示す映像信号と映像に対応する音声を示す音声信号とを入力し、入力された映像信号に映像処理を行って映像信号を出力する。増幅装置２は、入力された音声信号に音声処理を行って音声信号を増幅して出力する。増幅装置２は、音声信号のレベルを増幅させるための電源電圧を供給するとともに、その電源電圧を音声処理された音声信号に応じて変更する電源処理を行う。また、増幅装置は、映像信号が出力されるタイミングと音声信号が出力されるタイミングとの差である第１の時間差ＴＤＦ１（後述参照）が第１の閾値ｔｈ１（後述参照）以上の場合、第１の時間差ＴＤＦ１が第１の閾値ｔｈ１未満となるように、音声信号に生じる遅延が第１の電源処理より短い第２の電源処理を行う。増幅装置２の各部の構成の詳細については後述する。
【００１７】
表示装置３は、例えば液晶表示装置（ＬＣＤ：Liquid Crystal Display）もしくは有機ＥＬ（Electroluminescence）表示装置により構成され、増幅装置２により映像処理された映像信号を入力して表示する。なお、図１では表示装置３は１つ図示されているが、複数の表示装置３が車両ＣＲ１内に配置されてよい。
【００１８】
バッテリ４は、例えば車両ＣＲ１に搭載される充電可能な車載用二次電池により構成され、再生装置１、増幅装置２、表示装置３およびスピーカ５を含む車両ＣＲ１の各部に駆動源としての電源を供給する。なお、図１ではバッテリ４は１つ図示されているが、複数のバッテリ４が車両ＣＲ１内に配置されてよい。
【００１９】
スピーカ５は、増幅装置２によりレベルが増幅された音声信号を音響的に出力（つまり、放音）する。なお、図１ではスピーカ５は１つ図示されているが、複数のスピーカ５が車両ＣＲ１内に配置されてよい。
【００２０】
次に、増幅装置２の各部の構成の詳細について説明する。
【００２１】
入力部１１、映像処理部１２、音声処理部１３、映像遅延処理部１４、映像出力部１５、制御部１６および電源処理部１７は、例えばＣＰＵ（Central Processing Unit）、ＤＳＰ（Digital Signal Processor）、ＦＰＧＡ（Field Programmable Gate Array）等のプロセッサを用いて構成可能である。プロセッサは、メモリ２０に保持されたプログラムおよびデータを読み出して実行することで、これらの各部の機能を実現可能である。
【００２２】
入力部１１は、再生装置１から出力された映像音声データ信号を入力し、映像音声データ信号を映像信号と音声信号とに分離する。入力部１１は、映像信号（つまり、時系列的に連なる画像フレームの信号）を映像処理部１２に出力する。入力部１１は、音声信号を音声処理部１３に出力する。
【００２３】
映像処理部１２は、入力部１１から出力された映像信号に既定の映像処理（例えば圧縮された映像信号の伸張処理、表示装置３での表示に適する映像信号への変換処理、ノイズ低減処理）を施して映像遅延処理部１４に出力する。なお、既定の映像処理は、圧縮された映像信号の伸張処理、表示装置３での表示に適する映像信号への変換処理、ノイズ低減処理に限定されない。また、映像処理部１２によって施される既定の映像処理に応じた遅延時間が映像信号に付与されて映像遅延処理部１４に出力される。
【００２４】
音声処理部１３は、入力部１１から出力された音声信号に既定の音声処理を施して電源処理部１７に出力する。既定の音声処理は、例えば車両ＣＲ１内に配置されるスピーカ５のＣｈ（チャンネル）配置に適して音声信号を出力するためのサラウンド処理、車両ＣＲ１においてコンサートホール、映画館もしくはスタジアム等の音場を再現するための音場制御処理、スピーカ５において再生可能とするためにＭＰ３やＷＭＡ等の圧縮された音声信号を伸張するための伸張処理、それぞれのスピーカ５から音声が出力されるタイミング（つまり、遅延時間）を調整するためのタイムアライメント調整処理である。
【００２５】
例示的に上述した音声処理のうちいずれが行われるかは、予めドライバー等のユーザにより設定されており、その設定情報は、例えば増幅装置２のメモリ２０に保持される。音声処理部１３は、メモリ２０に保持される設定情報に従って、該当する音声処理を施す。なお、既定の音声処理は、上述したサラウンド処理、音場制御処理、伸張処理、タイムアライメント調整処理に限定されない。また、音声処理部１３によって施される既定の音声処理に応じた遅延時間が音声信号に付与されて電源処理部１７に出力される。以下では、映像処理部１２による映像処理に応じて付与される遅延時間より、音声処理部１３による音声処理に応じて付与される遅延時間が大きいとして説明する。
【００２６】
映像遅延処理部１４は、制御部１６からの遅延時間の付与指示の受領に従い、その付与指示により特定される遅延時間を、映像処理部１２から出力された映像信号（つまり、既定の映像処理が施された映像信号）に対して付与する。映像遅延処理部１４の動作の詳細は後述する（後述する実施の形態３参照）。なお、付与指示により特定される遅延時間が０（ゼロ）である場合には、映像遅延処理部１４は、映像処理部１２から出力された映像信号（つまり、既定の映像処理が施された映像信号）に対して付与しないでそのまま映像出力部１５に出力する。
【００２７】
映像出力部１５は、映像遅延処理部１４から出力された映像信号を表示装置３に出力して表示させる。
【００２８】
制御部１６は、増幅装置２の制御部として機能し、増幅装置２の各部の動作を全体的に統括するための制御処理、増幅装置２の各部との間のデータの入出力処理、データの演算（計算）処理およびデータの記憶処理を行う。
【００２９】
制御部１６は、映像処理により遅延した映像信号が増幅装置２から出力されるタイミングと、音声処理および電源処理により遅延した音声信号が増幅装置２から出力されるタイミングとの差である第１の時間差ＴＤＦ１を計算する。例えば、制御部１６は、映像処理により映像信号に生じる遅延時間ＭＤｔ１（第１の遅延時間の一例）と、音声処理により音声信号に生じる遅延時間ＶＤｔ１（第２の遅延時間の一例）との差（つまり、ＶＤｔ１−ＭＤｔ１）を第１の時間差ＴＤＦ１として計算する（図５Ａ，図５Ｂ参照）。
【００３０】
制御部１６は、電源処理部１７から出力された音声信号の一定時間分の包絡線検波出力と第１の時間差ＴＤＦ１とに基づいて、電源処理部１７に実行させる電源処理により音声信号に生じる遅延時間ＶＰＤｔ１，ＶＰＤｔ２を計算する（図５Ａ，図５Ｂ参照）。
【００３１】
ここで、一定時間は、例えば、図３または図４に示される音声信号ＶＣ３の波形特性の包絡線の検波開始時点から少なくとも包絡線のピークの検知時刻までの時間を目安にすればよい。この時、制御部１６は、第１の時間差ＴＤＦ１が映像の表示と音声の出力との同期が崩れないための許容量（後述参照）を満たすように、第１の電源処理により生じる遅延時間ＶＰＤｔ１または第２の電源処理により生じる遅延時間ＶＰＤｔ２を計算する。第１の電源処理および第２の電源処理の詳細については後述する。制御部１６は、遅延時間ＶＰＤｔ１の計算結果に基づく第１の電源処理、または遅延時間ＶＰＤｔ２の計算結果に基づく第２の電源処理を電源処理部１７に実行させる。遅延時間ＶＰＤｔ１または遅延時間ＶＰＤｔ２は、例えば数ｍｓｅｃ（ミリ秒）〜３０ｍｓｅｃ（ミリ秒）程度である。
【００３２】
ここで、上述した許容量と検知限界について説明する。
【００３３】
検知限界とは、視聴者が感覚的に検知できる、映像と音声とのズレ量の限界値（下限値）であり、例えば音声が映像に対して進む音声進みについては、例えば４５ｍｓｅｃ（ミリ秒）であり、音声が映像に対して遅れる音声遅れについては、例えば１２５ｍｓｅｃ（ミリ秒）である。従って、上述した第１の時間差ＴＤＦ１が検知限界付近の値を有する場合には、増幅装置２を介してスピーカ５から出力される音声信号の出力品位（出力音声品質）を向上できる。
【００３４】
一方、許容量とは、視聴者が感覚的に違和感を感知しない、映像と音声とのズレ量の限界値（上限値）であり、例えば音声が映像に対して進む音声進みについては、例えば９０ｍｓｅｃ（ミリ秒）であり、音声が映像に対して遅れる音声遅れについては、例えば１８５ｍｓｅｃ（ミリ秒）である。従って、上述した第１の時間差ＴＤＦ１が許容量を超えてしまう場合には、視聴者が映像と音声のズレを感知し易くなるため、映像の表示と音声の出力との同期が崩れることになる。言い換えると、制御部１６は、上述した第１の時間差ＴＤＦ１が許容量を超えないように、遅延時間ＶＰＤｔ１または遅延時間ＶＰＤｔ２を計算する。
【００３５】
また、制御部１６は、詳細は後述するが、映像処理部１２により映像処理された映像信号に対し、遅延時間ＴＤＦ３（図９参照）を付与するための遅延時間の付与指示を映像遅延処理部１４に出力する。
【００３６】
従って、制御部１６は、上述した第１の時間差ＴＤＦ１が第１の閾値ｔｈ１未満である程度に映像信号と音声信号との時間的なズレ量が小さい場合には、上述した許容量を満たしながら電源の電力使用効率を上げるように、音声信号に付与される遅延時間が大きい第１の電源処理を選択して実行させる（図３参照）。第１の閾値ｔｈ１は、上述した検知限界〜許容量の範囲の値であることが好ましく、例えば１２５ｍｓｅｃ（ミリ秒）〜１８５ｍｓｅｃ（ミリ秒）である。
【００３７】
一方、制御部１６は、上述した第１の時間差ＴＤＦ１が第１の閾値ｔｈ１以上である程度に映像信号と音声信号との時間的なズレ量が大きい場合には、上述した許容量を満たしながら電源の電力使用効率を上げるように、音声信号に付与される遅延時間が小さい第２の電源処理を選択して実行させる（図４参照）。
【００３８】
電源処理部１７は、音声処理部１３により音声処理された音声信号を一定時間（上述参照）の間バッファし、入力された音声信号の包絡線検波処理を行って包絡線検波出力を制御部１６に出力する。包絡線検波出力により、音声処理部１３により音声処理が施された音声信号の時間的なレベルの推移が検知される。電源処理部１７は、入力された音声信号のレベルを包絡線検波出力に従って無駄なく効率的に増幅するために、電圧可変電源１８から供給される電源電圧を経時的に制御するための制御信号を生成する。また、電源処理部１７は、入力された音声信号に対し、制御部１６により計算された遅延時間ＶＰＤｔ１または遅延時間ＶＰＤｔ２の遅延を付与して音声出力部１９に出力する。
【００３９】
電源電圧制御信号生成部１７１は、電圧可変電源１８から供給される電源電圧の使用効率を上げるために、包絡線検波出力に従って、音声出力部１９に入力される音声信号のレベルを増幅するための（言い換えると、電圧可変電源１８から供給される電源電圧を経時的に制御するための）制御信号（以下、電源電圧制御信号）を生成する。電源電圧制御信号生成部１７１は、生成された電源電圧制御信号を電圧可変電源１８に出力し、この電源電圧制御信号に従った電源電圧の音声出力部１９への供給を電圧可変電源１８に実行させる。以下の説明において、電源電圧制御信号生成部１７１が電圧可変電源１８に対して電源電圧制御信号に従った電源電圧を音声出力部１９に出力させる処理を「電源処理」という。
【００４０】
音声遅延処理部１７２は、電源処理部１７に入力された音声信号に対し、制御部１６により計算された遅延時間ＶＰＤｔ１または遅延時間ＶＰＤｔ２の遅延を付与して音声出力部１９に出力する。
【００４１】
電圧可変電源１８は、バッテリ４から供給される電力に基づいて、電源電圧制御信号生成部１７１から出力された電源電圧制御信号に応じた電源電圧の供給を可能な電源である。電圧可変電源１８は、電源電圧制御信号生成部１７１から出力された電源電圧制御信号に応じた電源電圧を音声出力部１９に供給する。
【００４２】
音声出力部１９は、音声遅延処理部１７２から出力された音声信号を電圧可変電源１８から供給される電源電圧を用いて増幅し、増幅装置２に接続されたスピーカ５に出力する。
【００４３】
メモリ２０は、ＲＡＭ（Random Access Memory）およびＲＯＭ（Read Only Memory）を用いて構成される。ＲＯＭは、上述したプロセッサ（例えば、入力部１１、映像処理部１２、音声処理部１３、映像遅延処理部１４、映像出力部１５、制御部１６および電源処理部１７）の動作を制御するためのプログラムおよびデータを記憶する。ＲＡＭは、プロセッサの動作時に使用されるワークメモリである。ＲＡＭは、プロセッサの動作の実行に必要なプログラムやデータ、更には、動作中に生成された情報またはデータ等を一時的に保存する。また、メモリ２０は、映像処理部１２で実行される映像処理の種類と音声処理部１３で実行される音声処理の種類とを規定した設定情報を保持している。この設定情報は、例えば視聴者が再生装置１を操作して好みの映像処理の種類と音声処理の種類とが指定されて増幅装置２のメモリ２０に保存されている。
【００４４】
図２は、映像信号、遅延発生前の音声信号ＶＣ１、遅延発生後の音声信号ＶＣ２の一例を示す図である。図２の最上段及び中央段に示されるように、再生装置１から増幅装置２に入力された時点（例えば、図２に示される時刻Ａ）では、映像信号を構成する画像のフレームＦＲ１とそのフレームＦＲ１に対応する音声信号ＶＣ１とは同期している。しかし、音声信号ＶＣ１に音声処理あるいは電源処理が施されることによって映像信号との間に時間的なズレ量Ｘ（例えば、音声処理あるいは電源処理の実行に伴って発生する遅延時間）が生じると、最下段に示されるように、フレームＦＲ１の出力されるタイミングと遅延発生後の音声信号ＶＣ２の出力されるタイミングとがずれる。時刻Ａ’は、時刻Ａからズレ量Ｘに相当する遅延時間が経過した後の時刻を示す。
【００４５】
図３は、第１の電源処理と第２の電源処理の第１例とを説明するための動作説明図である。図３の横軸は時間を示し、図３の縦軸は電圧可変電源１８から音声出力部１９に供給される電源電圧を示す。図３には、説明を分かり易くするために、電源処理部１７に入力される音声信号ＶＣ３の波形が示されており、この波形は音声信号のレベルの経時特性を示す。図３に示されるように、電源電圧ＵＰ１は、電圧可変電源１８から音声出力部１９に供給される電源電圧の上限値を示す。なお、詳細は後述するが、第１の時間差ＴＤＦ１が第２の閾値ｔｈ２（後述参照）よりも大きい場合には、電圧可変電源１８から固定の電源電圧ＵＰ１が音声出力部１９に供給される。
【００４６】
電源処理部１７は、音声処理部１３により音声処理された音声信号ＶＣ３の包絡線検波処理を行う。電源電圧制御信号生成部１７１は、包絡線検波出力に従って、音声出力部１９に入力される音声信号のレベルを増幅するための（言い換えると、電圧可変電源１８から供給される電源電圧を経時的に制御するための）電源電圧制御信号を生成する。特性ＰＳ１は、包絡線検波出力に基づいて電源電圧制御信号生成部１７１により生成された電源電圧制御信号に従って供給される電源電圧の特性であり、以下の説明ではベースラインという。また、ベースラインの特性ＰＳ１に従って電圧可変電源１８から供給される電源電圧を制御する処理を第１の電源処理という。
【００４７】
第１の電源処理では、包絡線検波出力に基づいて、電源処理部１７に入力される音声信号ＶＣ３のレベル（言い換えると、振幅）がゼロ付近から増加し始めてピークに至るまでの時間に相当する時間（つまり、遅延時間ＶＰＤｔ１）の分だけ、音声遅延処理部１７２において音声信号に遅延が付与される。制御部１６は、上述した第１の時間差ＴＤＦ１（言い換えると、映像処理部１２により映像信号に付与された遅延時間と、音声処理部１３により音声信号に付与された遅延時間との差）が第１の閾値ｔｈ１以上となる場合、音声信号ＶＣ３に付与される遅延時間が小さい第２の電源処理を実行する。
【００４８】
図３に示される第２の電源処理では、電源電圧の特性ＰＳ２の下限がベースラインの特性ＰＳ１の下限よりもベースアップされる。つまり、電源電圧制御信号生成部１７１は、制御部１６からの遅延時間ＶＰＤｔ２を含む第２の電源処理の実行指示に従って、第２の電源処理により付与される遅延時間が遅延時間ＶＰＤｔ２となるように電源電圧制御信号を生成して電圧可変電源１８に出力する。これにより、図３に示される第２の電源処理によって、第２の電源処理に基づいて音声信号ＶＣ３に付与される遅延時間が、第１の電源処理（つまり、ベースラインの特性ＰＳ１に従った電源処理）に基づいて音声信号ＶＣ３に付与される遅延時間ＶＰＤｔ１よりも短い遅延時間ＶＰＤｔ２に短縮可能となる。言い換えると、電源処理部１７は、電圧可変電源１８が電源電圧を急峻に増加できない回路構成の場合でも、ベースラインの特性ＰＳ１の下限を一定値増加した特性ＰＳ２を満たす電源電圧を電圧可変電源１８に供給させることで、電源電圧の簡易な制御によって音声信号ＶＣ３に付与される遅延時間を第１の電源処理による遅延時間ＶＰＤｔ１に比べて短縮できる。
【００４９】
図４は、第１の電源処理と第２の電源処理の第２例とを説明するための動作説明図である。図４の横軸は時間を示し、図４の縦軸は電圧可変電源１８から音声出力部１９に供給される電源電圧を示す。図４には、説明を分かり易くするために、増幅装置２に入力される音声信号ＶＣ３の波形が示されており、この波形は音声信号のレベルの経時特性を示す。図４の説明において、図３の説明と重複する内容の説明は簡略化または省略し、異なる内容について説明する。
【００５０】
図４に示される第２の電源処理では、電源電圧の特性ＰＳ３のスルーレート（つまり、音声信号ＶＣ３のレベルの増大に伴って電源電圧を増加する時の傾き）がベースラインの特性ＰＳ１に比べて急峻に設定される。つまり、電源電圧制御信号生成部１７１は、制御部１６からの遅延時間ＶＰＤｔ２を含む第２の電源処理の実行指示に従って、第２の電源処理により付与される遅延時間が遅延時間ＶＰＤｔ２となるように電源電圧制御信号を生成して電圧可変電源１８に出力する。これにより、図４に示される第２の電源処理によって、第２の電源処理に基づいて音声信号ＶＣ３に付与される遅延時間が、第１の電源処理（つまり、ベースラインの特性ＰＳ１に従った電源処理）に基づいて音声信号ＶＣ３に付与される遅延時間ＶＰＤｔ１よりも短い遅延時間ＶＰＤｔ２に短縮可能となる。言い換えると、電源処理部１７は、電圧可変電源１８が電源電圧を急峻に増加できる回路構成を有する場合、ベースラインの特性ＰＳ１の下限を変更することなく制御部１６により計算された遅延時間ＶＰＤｔ２が得られるように電圧可変電源１８を制御することで、電源電圧の簡易な制御によって音声信号ＶＣ３に付与される遅延時間を第１の電源処理による遅延時間ＶＰＤｔ１に比べて短縮できる。
【００５１】
次に、実施の形態１に係る増幅装置２の電源処理に係る動作手順について、図５Ａ、図５Ｂおよび図６を参照して説明する。図５Ａは、第１の時間差と第１の電源処理との関係を示す説明図である。図５Ｂは、第１の時間差と第２の電源処理との関係を示す説明図である。図６は、実施の形態１に係る増幅装置２の音声信号に応じた電源処理に係る動作手順を示すフローチャートである。図６の説明において、図５Ａおよび図５Ｂを適宜参照する。
【００５２】
図６において、増幅装置２の制御部１６は、入力部１１に入力された信号に映像信号が含まれるか否かを判断する（Ｓｔ１）。制御部１６は、映像信号が入力されたと判断した場合には（Ｓｔ１、ＹＥＳ）、メモリ２０に保持される設定情報を参照し、音声処理部１３での音声処理の実行が設定されているか否かを判断する（Ｓｔ２）。制御部１６は、音声処理部１３での音声処理の実行が設定されていると判断した場合には（Ｓｔ２、ＹＥＳ）、その設定情報に従って音声処理を音声処理部１３に実行させる。音声処理部１３は、制御部１６からの指示に従い、音声処理を実行する（Ｓｔ３）。
【００５３】
なお、増幅装置２に映像信号が入力されず、オーディオデータのように音声信号のみが入力された場合（Ｓｔ１、ＮＯ）、あるいは音声処理部１３での音声処理の実行が設定されていない場合（Ｓｔ２、ＮＯ）、制御部１６は、第１の電源処理（つまり、図３または図４に示すベースラインの特性ＰＳ１に従った電源処理）を電源処理部１７に実行させる。電源処理部１７は、制御部１６からの指示に従い、第１の電源処理を実行する（Ｓｔ６）。
【００５４】
制御部１６は、ステップＳｔ３の後、映像処理により遅延した映像信号が増幅装置２から出力されるタイミングと、音声処理および電源処理により遅延した音声信号が増幅装置２から出力されるタイミングとの差である第１の時間差ＴＤＦ１を計算して算出する（Ｓｔ４）。例えば、制御部１６は、映像処理により映像信号に生じる遅延時間ＭＤｔ１と、音声処理により音声信号に生じる遅延時間ＶＤｔ１との差（つまり、ＶＤｔ１−ＭＤｔ１）を第１の時間差ＴＤＦ１として計算する（図５Ａ，図５Ｂ参照）。
【００５５】
制御部１６は、ステップＳｔ４で算出された第１の時間差ＴＤＦ１が第１の閾値ｔｈ１未満であると判断した場合（Ｓｔ５、ＮＯ）、「第１の時間差ＴＤＦ１＋第１の電源処理に基づく遅延時間ＶＰＤｔ１」となる遅延時間ＴＤＦ２が許容量（例えば１８５ｍｓｅｃ（ミリ秒））を超えないように、遅延時間が長い第１の電源処理を選択して電源処理部１７に実行させる。言い換えると、制御部１６は、「第１の時間差ＴＤＦ１＋第１の電源処理に基づく遅延時間ＶＰＤｔ１」となる遅延時間ＴＤＦ２が許容量（例えば１８５ｍｓｅｃ（ミリ秒））を超えないように、第１の電源処理により生じる遅延時間ＶＰＤｔ１を計算する。制御部１６は、音声遅延処理部１７２により付与される遅延時間が計算されたＶＰＤｔ１となるように第１の電源処理を電源処理部１７に実行させる。電源処理部１７は、制御部１６からの指示に従い、第１の電源処理を実行する（Ｓｔ６）。ステップＳｔ６の後、増幅装置２の処理はステップＳｔ８に進む。
【００５６】
一方、制御部１６は、ステップＳｔ４で算出された第１の時間差ＴＤＦ１が第１の閾値ｔｈ１以上であると判断した場合（Ｓｔ５、ＹＥＳ）、「第１の時間差ＴＤＦ１＋第２の電源処理に基づく遅延時間ＶＰＤｔ２」となる遅延時間ＴＤＦ２が許容量（例えば１８５ｍｓｅｃ（ミリ秒））を超えないように、遅延時間が短い第２の電源処理を選択して電源処理部１７に実行させる。言い換えると、制御部１６は、「第１の時間差ＴＤＦ１＋第２の電源処理に基づく遅延時間ＶＰＤｔ２」となる遅延時間ＴＤＦ２が許容量（例えば１８５ｍｓｅｃ（ミリ秒））を超えないように、第２の電源処理により生じる遅延時間ＶＰＤｔ２を計算する。制御部１６は、音声遅延処理部１７２により付与される遅延時間が計算されたＶＰＤｔ２となるように第２の電源処理を電源処理部１７に実行させる。電源処理部１７は、制御部１６からの指示に従い、第２の電源処理を実行する（Ｓｔ７）。ステップＳｔ７の後、増幅装置２の処理はステップＳｔ８に進む。実施の形態１において、ステップＳｔ５，Ｓｔ６，Ｓｔ７の一連の処理は、増幅装置２における電源処理判別処理に相当する。
【００５７】
制御部１６は、ステップＳｔ６またはステップＳｔ７の後、再生装置１からコンテンツ信号が入力されていると判断した場合には（Ｓｔ８、ＹＥＳ）、再生装置１からコンテンツ信号が入力されなくなるまでステップＳｔ１からステップＳｔ６もしくはステップＳｔ７の一連の処理を継続する。一方、再生装置１からコンテンツ信号が入力されないと判断された場合には（Ｓｔ８、ＮＯ）、図６に示す増幅装置２の動作手順は終了する。
【００５８】
以上により、実施の形態１に係る増幅装置２は、映像を示す映像信号と映像に対応する音声を示す音声信号とを入力し、入力された映像信号に映像処理を行って映像信号を出力する。増幅装置２は、入力された音声信号に音声処理を行って音声信号を増幅して出力する。増幅装置２は、音声信号のレベルを増幅させるための電源電圧を供給するとともに、その電源電圧を音声処理された音声信号に応じて変更する電源処理を行う。また、増幅装置２は、映像信号が出力されるタイミングと音声信号が出力されるタイミングとの差である第１の時間差ＴＤＦ１が第１の閾値ｔｈ１以上の場合、第１の時間差ＴＤＦ１が第１の閾値ｔｈ１未満となるように、音声信号に生じる遅延が第１の電源処理より短い第２の電源処理を行う。
【００５９】
これにより、例えば車両ＣＲ１に搭載される増幅装置２は、ドライバーあるいは他のシートに乗車した乗車員等の視聴者に映像と音声との時間的なズレによる違和感を感知させない程度に映像信号の表示と音声信号の出力との同期を図れる。さらに、増幅装置２は、映像と音声との同期を維持しながら、再生装置１から入力された音声信号に従って電圧可変電源１８からの電源電圧の供給効率（言い換えると、バッテリ４の電力使用効率）を上げて消費電力の増大を抑制できる。
【００６０】
また、増幅装置２は、映像処理部１２での映像処理により映像信号に生じる遅延時間ＭＤｔ１（第１の遅延時間の一例）と音声処理部１３での音声処理により音声信号に生じる遅延時間ＶＤｔ１（第２の遅延時間の一例）との差から、第１の時間差ＴＤＦ１を制御部１６において計算して算出する。これにより、増幅装置２は、第１の時間差ＴＤＦ１を簡易に導出でき、第１の時間差ＴＤＦ１と第１の閾値ｔｈ１との比較に応じて、相対的に遅延時間の長い第１の電源処理または遅延時間の短い第２の電源処理のいずれを実行すれば良いかを適応的に判断できる。
【００６１】
また、増幅装置２により実行される第２の電源処理は、第１の電源処理よりも電圧可変電源１８から供給される電源電圧の下限値が大きい。これにより、増幅装置２は、電圧可変電源１８が電源電圧を急峻に増加できない回路構成の場合でも、ベースラインの特性ＰＳ１の下限を一定値増加した特性ＰＳ２を満たす電源電圧を電圧可変電源１８に供給させることで、電源電圧の簡易な制御によって音声信号ＶＣ３に付与される遅延時間を第１の電源処理による遅延時間ＶＰＤｔ１に比べて短縮できる。
【００６２】
また、増幅装置２により実行される第２の電源処理は、第１の電源処理よりも電圧可変電源１８から供給される電源電圧のスルーレートが大きい。これにより、増幅装置２は、電圧可変電源１８が電源電圧を急峻に増加できる回路構成を有する場合、ベースラインの特性ＰＳ１の下限を変更することなく制御部１６により計算された遅延時間ＶＰＤｔ２が得られるように電圧可変電源１８を制御することで、電源電圧の簡易な制御によって音声信号ＶＣ３に付与される遅延時間を第１の電源処理による遅延時間ＶＰＤｔ１に比べて短縮できる。
【００６３】
（実施の形態２）
実施の形態１では、第１の時間差ＴＤＦ１と比較される閾値として第１の閾値ｔｈ１が用いられた。実施の形態２では、第１の時間差ＴＤＦ１と比較される閾値として第１の閾値ｔｈ１だけでなく第２の閾値ｔｈ２も用いられる。第２の閾値ｔｈ２の詳細は後述するが、第２の閾値ｔｈ２は第１の閾値ｔｈ１より大きい。第１の時間差ＴＤＦ１が第２の閾値以上である場合には、増幅装置２は電源処理を実行しない。
【００６４】
実施の形態２に係る増幅装置２の構成例は実施の形態１に係る増幅装置２（図１参照）と同一であるため、重複する内容の説明は簡略化または省略し、異なる内容について説明する。
【００６５】
第２の閾値ｔｈ２は、電源電圧制御信号生成部１７１による電源処理により、「音声処理により生じる遅延時間と電源処理により生じる遅延時間との合計」と「映像処理により生じる遅延時間」との差分が許容量（例えば、１８５ｍｓｅｃ（ミリ秒））以内に収めることができない程度の時間的なズレ量を示す値である。第２の閾値ｔｈ２は、一意には定まらず、固定値とならない。
【００６６】
第２の閾値ｔｈ２は、例えば映像処理により生じる遅延時間と音声処理により生じる遅延時間とが同じで第１の時間差ＴＤＦ１がそのまま電源処理により生じる遅延時間とした時、第２の電源処理により生じる遅延時間が第１の電源処理により生じる遅延時間に比べて５０％短縮される場合、「１２５ｍｓｅｃ（ミリ秒）〜１８５ｍｓｅｃ（ミリ秒）」＋α（例えば１０ミリ秒）程度の値となり、例えば２００〜３００ミリ秒となる。
【００６７】
次に、実施の形態２に係る増幅装置２の電源処理に係る動作手順について、図７を参照して説明する。図７は、実施の形態２に係る増幅装置２の電源処理判別処理の動作手順を示すフローチャートである。実施の形態２に係る増幅装置２の音声信号に応じた電源処理に係る動作手順は、実施の形態１に係る増幅装置２の音声信号に応じた電源処理に係る動作手順のうち電源処理判別処理のみ異なる。このため、図７では、電源処理判別処理を説明し、電源処理判別処理以外の処理の内容は図６の対応する処理と同一であるため、説明を簡略化または省略し、異なる内容について説明する。
【００６８】
図７において、制御部１６は、ステップＳｔ４で算出された第１の時間差ＴＤＦ１が第１の閾値ｔｈ１以上であると判断した場合（Ｓｔ５、ＹＥＳ）、その第１の時間差ＴＤＦ１が第２の閾値ｔｈ２（上述参照）以上であるか否かを判断する（Ｓｔ１１）。
【００６９】
制御部１６は、第１の時間差ＴＤＦ１が第２の閾値ｔｈ２未満であると判断した場合（Ｓｔ１１、ＮＯ）、「第１の時間差ＴＤＦ１＋第２の電源処理に基づく遅延時間ＶＰＤｔ２」となる遅延時間ＴＤＦ２が許容量（例えば１８５ｍｓｅｃ（ミリ秒））を超えないように、遅延時間が短い第２の電源処理を選択して電源処理部１７に実行させる。言い換えると、制御部１６は、「第１の時間差ＴＤＦ１＋第２の電源処理に基づく遅延時間ＶＰＤｔ２」となる遅延時間ＴＤＦ２が許容量（例えば１８５ｍｓｅｃ（ミリ秒））を超えないように、第２の電源処理により生じる遅延時間ＶＰＤｔ２を計算する。制御部１６は、音声遅延処理部１７２により付与される遅延時間が計算されたＶＰＤｔ２となるように第２の電源処理を電源処理部１７に実行させる。電源処理部１７は、制御部１６からの指示に従い、第２の電源処理を実行する（Ｓｔ７）。ステップＳｔ７の後、増幅装置２の処理はステップＳｔ８に進む。
【００７０】
一方、制御部１６は、第１の時間差ＴＤＦ１が第２の閾値ｔｈ２以上であると判断した場合（Ｓｔ１１、ＹＥＳ）、第１の時間差ＴＤＦ１が許容量（例えば１８５ｍｓｅｃ（ミリ秒））を超えないように、電源処理部１７に電源処理を実行させない（つまり、電源処理をＯＦＦ（省略）させる）と判断する（Ｓｔ１２）。これは、第１の時間差ＴＤＦ１が第２の閾値ｔｈ２以上である場合には、映像信号の出力されるタイミングと音声信号の出力されるタイミングとの差が大きく、電源処理の実行によってさらに差が大きくなることでその差が許容量（例えば１８５ｍｓｅｃ（ミリ秒））を超えて映像と音声との同期が崩れてしまうことを避けるためである。ステップＳｔ１２の後、増幅装置２の処理はステップＳｔ８に進む。実施の形態２において、ステップＳｔ５，Ｓｔ６，Ｓｔ１１，Ｓｔ１２，Ｓｔ７の一連の処理は、増幅装置２における電源処理判別処理に相当する。
【００７１】
以上により、実施の形態２に係る増幅装置２は、第１の時間差ＴＤＦ１が第１の閾値ｔｈ１より大きい第２の閾値ｔｈ２以上の場合、電源処理部１７に電源処理を行わせない。これにより、増幅装置２は、映像信号の出力されるタイミングと音声信号の出力されるタイミングとの差が大きい場合、電源処理の実行によってさらに差が大きくなることでその差が許容量（例えば１８５ｍｓｅｃ（ミリ秒））を超えて映像と音声との同期が崩れてしまうことを避けることができる。
【００７２】
（実施の形態３）
実施の形態２では、第１の時間差ＴＤＦ１が第１の閾値ｔｈ１より大きい第２の閾値ｔｈ２以上の場合、電源処理部１７により電源処理は実行されない。実施の形態３では、増幅装置２は、第１の時間差ＴＤＦ１が第１の閾値ｔｈ１より大きい第２の閾値ｔｈ２以上の場合、映像遅延処理部１４に対し、映像処理部１２で映像処理された映像信号に対し、制御部１６により指示された遅延時間ＴＤＦ３（図９参照）を付与する。
【００７３】
実施の形態３に係る増幅装置２の構成例は実施の形態１に係る増幅装置２（図１参照）と同一であるため、重複する内容の説明は簡略化または省略し、異なる内容について説明する。
【００７４】
次に、実施の形態３に係る増幅装置２の電源処理に係る動作手順について、図８および図９を参照して説明する。図８は、実施の形態３に係る増幅装置２の電源処理判別処理に係る動作手順を示すフローチャートである。図９は、実施の形態３において電源処理を省略する場合の第１の時間差の説明図である。実施の形態３に係る増幅装置２の音声信号に応じた電源処理に係る動作手順は、実施の形態１に係る増幅装置２の音声信号に応じた電源処理に係る動作手順のうち電源処理判別処理のみ異なる。このため、図８では、電源処理判別処理を説明し、電源処理判別処理以外の処理の内容は図６の対応する処理と同一であるため、説明を簡略化または省略し、異なる内容について説明する。図８の説明において、図９を適宜参照する。
【００７５】
図８において、ステップＳｔ４で算出された第１の時間差ＴＤＦ１が第１の閾値ｔｈ１以上であると判断した場合（Ｓｔ５、ＹＥＳ）、その第１の時間差ＴＤＦ１が第２の閾値ｔｈ２（上述参照）以上であるか否かを判断する（Ｓｔ１１）。
【００７６】
制御部１６は、第１の時間差ＴＤＦ１が第２の閾値ｔｈ２未満であると判断した場合（Ｓｔ１１、ＮＯ）、「第１の時間差ＴＤＦ１＋第２の電源処理に基づく遅延時間ＶＰＤｔ２」となる遅延時間ＴＤＦ２が許容量（例えば１８５ｍｓｅｃ（ミリ秒））を超えないように、遅延時間が短い第２の電源処理を選択して電源処理部１７に実行させる。言い換えると、制御部１６は、「第１の時間差ＴＤＦ１＋第２の電源処理に基づく遅延時間ＶＰＤｔ２」となる遅延時間ＴＤＦ２が許容量（例えば１８５ｍｓｅｃ（ミリ秒））を超えないように、第２の電源処理により生じる遅延時間ＶＰＤｔ２を計算する。制御部１６は、音声遅延処理部１７２により付与される遅延時間が計算されたＶＰＤｔ２となるように第２の電源処理を電源処理部１７に実行させる。電源処理部１７は、制御部１６からの指示に従い、第２の電源処理を実行する（Ｓｔ７）。ステップＳｔ７の後、増幅装置２の処理はステップＳｔ８に進む。
【００７７】
一方、制御部１６は、第１の時間差ＴＤＦ１が第２の閾値ｔｈ２以上であると判断した場合（Ｓｔ１１、ＹＥＳ）、第１の時間差ＴＤＦ１が許容量（例えば１８５ｍｓｅｃ（ミリ秒））を超えないように、映像処理部１２で映像処理された映像信号に対して映像遅延処理部１４に付与させるための遅延時間ＴＤＦ３（図９参照）を計算して算出する。遅延時間ＴＤＦ３は、例えば「遅延時間ＴＤＦ３と映像処理部１２での映像処理により生じる遅延時間ＭＤｔ１との加算値である遅延時間ＭＤｔ２」と、音声処理部１３での音声処理により生じる遅延時間ＶＤｔ１との差である時間差ＴＤＦ４が許容量（例えば１８５ｍｓｅｃ（ミリ秒））を超えないように算出される。
【００７８】
なお、遅延時間ＴＤＦ３は、例えば「遅延時間ＴＤＦ３と映像処理部１２での映像処理により生じる遅延時間ＭＤｔ１との加算値である遅延時間ＭＤｔ２」と、音声処理部１３での音声処理により生じる遅延時間ＶＤｔ１との差である時間差ＴＤＦ４が第２の閾値ｔｈ２未満となるように算出されてもよい。これにより、増幅装置２は、遅延時間の短い第２の電源処理を行っても映像の表示と音声の出力との同期が崩れることを回避できながら、電源の電力使用効率を上げることができる。
【００７９】
制御部１６は、算出された遅延時間ＴＤＦ３の付与を映像遅延処理部１４に指示する。映像遅延処理部１４は、制御部１６からの指示に従い、映像処理部１２で映像処理された映像信号に対し、遅延時間ＴＤＦ３を付与する（Ｓｔ２１）。これは、第１の時間差ＴＤＦ１が第２の閾値ｔｈ２以上である場合には、映像信号の出力されるタイミングと音声信号の出力されるタイミングとの差が大きく、その差が許容量（例えば１８５ｍｓｅｃ（ミリ秒））を超えて映像と音声との同期が崩れてしまうことを避けるためである。ステップＳｔ２１の後、増幅装置２の処理はステップＳｔ８に進む。実施の形態３において、ステップＳｔ５，Ｓｔ６，Ｓｔ１１，Ｓｔ２１，Ｓｔ７の一連の処理は、増幅装置２における電源処理判別処理に相当する。
【００８０】
以上により、実施の形態３に係る増幅装置２は、映像処理部１２での映像処理がなされた映像信号を遅延させる（つまり、遅延時間を付与する）映像遅延処理部１４（映像遅延部の一例）をさらに備える。増幅装置２は、第１の時間差ＴＤＦ１が第１の閾値ｔｈ１より大きい第２の閾値ｔｈ２以上の場合、第１の時間差ＴＤＦ１が第２の閾値未満となるように映像遅延処理部１４に映像信号を遅延させる。これにより、増幅装置２は、映像の表示と音声の出力との時間的なズレ量に対応する時間差ＴＤＦ４が第２の閾値ｔｈ２未満にできるので、たとえ遅延時間の長い第１の電源処理を行っても映像の表示と音声の出力との同期が崩れることを回避できながら、第１の電源処理に応じて電圧可変電源１８の電力使用効率を上げることができる。
【００８１】
以上、図面を参照しながら各種の実施の形態について説明したが、本開示はかかる例に限定されないことは言うまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【産業上の利用可能性】
【００８２】
本開示は、視聴者に違和感を感知させない程度に映像信号の表示と音声信号の出力との同期を図りながら、入力された音声信号に従って電源からの電力使用効率を上げて消費電力の増大を抑制する増幅装置、増幅方法および車載システムとして有用である。
【符号の説明】
【００８３】
１  再生装置
２  増幅装置
３  表示装置
４  バッテリ
５  スピーカ
１１  入力部
１２  映像処理部
１３  音声処理部
１４  映像遅延処理部
１５  映像出力部
１６  制御部
１７  電源処理部
１８  電圧可変電源
１９  音声出力部
２０  メモリ
１７１  電源電圧制御信号生成部
１７２  音声遅延処理部
ＣＲ１  車両
【図１】
2020005231.tif 000003
【図２】
2020005231.tif 000004
【図３】
2020005231.tif 000005
【図４】
2020005231.tif 000006
【図５Ａ】
2020005231.tif 000007
【図５Ｂ】
2020005231.tif 000008
【図６】
2020005231.tif 000009
【図７】
2020005231.tif 000010
【図８】
2020005231.tif 000011
【図９】
2020005231.tif 000012